(57)【特許請求の範囲】
【請求項１】
座屈部分を有する筒状構造物を補修する筒状構造物の補修構造であって、
前記筒状構造物の外周面に、前記座屈部分を前記筒状構造物の軸方向に挟んで固定された一対のリング状部材と、
一対の前記リング状部材間に掛け渡されて当該リング状部材に両端部がそれぞれ固定されるとともに、前記リング状部材の周方向に所定間隔で配置された複数の柱状部材と、を備え、
前記複数の柱状部材の前記筒状構造物の軸と直交する方向の断面積の総和が、前記筒状構造物の軸方向と直交する断面積以上であり、
前記柱状部材は、前記座屈部分より前記筒状構造物の径方向外側に、当該柱状部材の長手方向全域にわたって前記筒状構造物の外周面との間に所定の隙間を設けて配置されていることを特徴とする筒状構造物の補修構造。
【請求項２】
前記柱状部材と前記筒状構造物とは、所定の間隔で配置された複数の接続部材によって接続されていることを特徴とする請求項１に記載の筒状構造物の補修構造。
【請求項３】
前記柱状部材の外周側に設けられた外筒が前記柱状部材および前記リング状部材に固定されていることを特徴とする請求項１または２に記載の筒状構造物の補修構造。
【請求項４】
座屈部分を有する筒状構造物を補修する筒状構造物の補修方法であって、
前記筒状構造物の外周面に、前記座屈部分を前記筒状構造物の軸方向に挟んで一対のリング状部材を固定することと、
次に、一対の前記リング状部材間に柱状部材を掛け渡してその両端部をそれぞれ一対の前記リング状部材に固定するとともに、前記リング状部材の周方向に前記柱状部材を所定間隔で複数配置することと、
を備え、
複数の前記柱状部材の前記筒状構造物の軸と直交する方向の断面積の総和が、前記筒状構造物の軸方向と直交する断面積以上であり、
前記柱状部材は、前記座屈部分より前記筒状構造物の径方向外側に、当該柱状部材の長手方向全域にわたって前記筒状構造物の外周面との間に所定の隙間を設けて配置されることを特徴とする筒状構造物の補修方法。
【請求項５】
前記柱状部材と前記筒状構造物とは、所定の間隔で配置された複数の接続部材によって接続されることを特徴とする請求項４に記載の筒状構造物の補修方法。
【請求項６】
前記柱状部材の外周側に設けられた外筒が前記柱状部材および前記リング状部材に固定されることを特徴とする請求項４または５に記載の筒状構造物の補修方法。
【発明の詳細な説明】
【技術分野】
【０００１】
本発明は、座屈部分を有する煙突等の筒状構造物を補修する筒状構造物の補修構造および補修方法に関する。
【背景技術】
【０００２】
経年変化、腐食等により座屈のおそれがある既存の鋼製煙突を補強する既存鋼製煙突の補強方法の一例として、特許文献１に記載のものが知られている。
この既存鋼製煙突の補強方法は、既存鋼製煙突の内周面に、その周方向に沿って間隔を隔てて縦方向リブを接合する工程と、既存鋼製煙突の内周面に、その高さ方向に沿って間隔を隔ててかつ前記縦方向リブと井桁をなすように、横方向リブを接合する工程と、既存鋼製煙突の外周面に、炭素繊維の線材を巻き付ける工程とからなることを特徴としており、これによって、既存鋼製煙突の経年変化、腐食等に起因する脆弱化によってこれが内側ないし外側に倒れないように補強している。
【先行技術文献】
【特許文献】
【０００３】
【特許文献１】特開平０５−３２１４８２号公報
【発明の概要】
【発明が解決しようとする課題】
【０００４】
ところが、上述した従来の既存鋼製煙突の経年変化、腐食等に起因する座屈防止に関する補強方法では、当該既存鋼製煙突が地震等の荷重を受けて大きく揺れて、当該煙突に座屈が生じた場合は、その座屈部分は円筒胴としての強度を保有できないため、座屈部分を新規部材に交換するか、あるいは一式新規の構造物（煙突など）に交換していた。このため、これらの交換に要する手間と経済的な負担が大きいという問題があった。
また、座屈部分自体を外側から補強する方法も考えられるが、座屈部分が同形状と同間隔でない場合が多いため、それぞれの座屈形状に合った補強を要し、補強作業が煩雑となるとともに工期もかかる。
一方、座屈部分をそのまま残して、煙突等の筒状構造物をその自重および地震等による荷重に耐え得るよう補修する方法は現在のところ無い。
【０００５】
本発明は、前記事情に鑑みてなされたもので、座屈部分を新規に交換することなく、当該座屈部分を残したままで、自重および地震による荷重に耐え得る筒状構造物の補修構造および補修方法を提供することを目的とする。
【課題を解決するための手段】
【０００６】
前記目的を達成するために本発明に係る筒状構造物の補修構造は、座屈部分を有する筒状構造物を補修する筒状構造物の補修構造であって、
前記筒状構造物の外周面に、前記座屈部分を前記筒状構造物の軸方向に挟んで固定された一対のリング状部材と、
一対の前記リング状部材間に掛け渡されて当該リング状部材に両端部がそれぞれ固定されるとともに、前記リング状部材の周方向に所定間隔で配置された複数の柱状部材と、を備えていることを特徴とする。
【０００７】
また、本発明に係る筒状構造物の補修方法は、座屈部分を有する筒状構造物を補修する筒状構造物の補修方法であって、
前記筒状構造物の外周面に、前記座屈部分を前記筒状構造物の軸方向に挟んで一対のリング状部材を固定し、
次に、一対の前記リング状部材間に柱状部材を掛け渡してその両端部をそれぞれ一対の前記リング状部材に固定するとともに、前記リング状部材の周方向に前記柱状部材を所定間隔で複数配置することを特徴とする。
【０００８】
本発明においては、一対のリング状部材が座屈部分を挟んで筒状構造物の外周面に固定され、当該一対のリング状部材間に掛け渡された柱状部材の両端部が一対のリング状部材に固定されているので、座屈部分を有していても、これらリング状部材と柱状部材とで筒状構造物の自重および地震による荷重に耐えることができる。
【０００９】
また、本発明の前記構成において、前記柱状部材は、前記座屈部分より前記筒状構造物の径方向外側に配置されることが好ましい。
【００１０】
このような構成によれば、座屈部分が筒状構造物の外周面から突出している場合に、当該座屈部分に干渉することなく、柱状部材を設けることができるので、座屈部分の凹凸の形状と配置に拘らず、リング状部材と柱状部材とで筒状構造物の自重および地震による荷重に耐えることができる。
【００１１】
また、本発明の前記構成において、前記柱状部材と前記筒状構造物とは、接続部材によって接続されていることが好ましい。
【００１２】
このような構成によれば、接続部材によって柱状部材が筒状構造物に接続されているので、柱状部材の座屈強度が向上し、これによって、リング状部材と柱状部材とで筒状構造物の自重および地震による荷重に確実に耐えることができる。
【００１３】
また、本発明の前記構成において、前記柱状部材に凹所が設けられ、この凹所に前記筒状構造物の外周面から突出している前記座屈部分が収められてもよい。
【００１４】
このような構成によれば、柱状部材の凹所に筒状構造物の外周面から突出している座屈部分が収められるので、当該座屈部分に干渉することなく柱状部材を設けることができ、よって、リング状部材と柱状部材とで筒状構造物の自重および地震による荷重に耐えることができる。
【００１５】
また、本発明の前記構成において、前記柱状部材の外周側に設けられた外筒が前記柱状部材および前記リング状部材に固定されてもよい。
【００１６】
このような構成によれば、柱状部材およびリング状部材が外筒によって補強されるので、リング状部材と柱状部材とで筒状構造物の自重および地震による荷重に、より確実に耐えることができるとともに、複数の柱状部材が外筒によって覆われるので、外観上も見映えがよくなる。
【発明の効果】
【００１７】
本発明によれば、筒状構造物の外周面に、座屈部分を筒状構造物の軸方向に挟んで固定された一対のリング状部材と、一対のリング状部材間に掛け渡されて当該リング状部材に両端部がそれぞれ固定されるとともに、リング状部材の周方向に所定間隔で配置された複数の柱状部材とを備えているので、座屈部分を有していても、これらリング状部材と柱状部材とで筒状構造物の自重および地震による荷重に耐えることができる。
【図面の簡単な説明】
【００１８】
【図１】本発明の第１の実施の形態を示すもので、筒状構造物の補修構造を示す断面図である。
【図２】同、図１におけるＡ−Ａ線断面図である。
【図３】同、筒状構造物の補修方法の工程を説明するためのもので、（ａ）は煙突にリング状部材を固定した状態を示す要部の断面図、（ｂ）はリング状部材間に柱状部材を設けて固定した状態を示す要部の断面図、（ｃ）は接続部材によって柱状部材と煙突とを接続した状態を示す要部の断面図、（ｄ）は外筒を設けた状態を示す要部の断面図である。
【図４】本発明の第２の実施の形態を示すもので、筒状構造物の補修構造を示す断面図である。
【図５】同、図４におけるＡ−Ａ線断面図である。
【発明を実施するための形態】
【００１９】
以下、本発明の実施の形態について図面を参照して説明する。
（第１の実施の形態）
図１および図２は、第１の実施の形態を示すもので、図１は筒状構造物の補修構造を示す断面図、図２は図１におけるＡ−Ａ線断面図である。
【００２０】
本実施の形態では、本発明を円筒状の煙突１の補修に適用した場合について説明する。
円筒状の煙突（筒状構造物）１の軸方向の所定の位置に、地震等の外力を受けることによって、座屈部分２が生じている。この座屈部分２は煙突１の周方向に沿って形成され、径方向外側に向けて突出する形状となっている。なお、座屈部分２は突出する形状に限らず、径方向内側に向けて凹む形状、あるいは突出した形状と凹んだ形状とが混在している形状であってもよい。
【００２１】
煙突１の座屈が生じていない健全部の外周面には、座屈部分２を煙突１の軸方向に挟んで上下一対のリング状部材３が溶接によって前記煙突と同軸に固定されている。リング状部材３は、その内径が煙突１の外径とほぼ等しくなっており、その内周面が煙突１の外周面に溶接されている。本実施の形態では、リング状部材３は、鋼材によって形成されており、当該リング状部材３を周方向に所定間隔で分割してなる複数の円弧板状の分割リング片をリング状に溶接接合することによって、形成されているが、煙突１が小径の場合は、一体物で形成してもよい。
【００２２】
上側のリング状部材３の上面には、略三角形板状のガセット４の下辺部が溶接によって固定されており、この下辺部と直角な縦辺部が煙突１の外周面に溶接によって固定されている。同様に、下側のリング状部材３の下面には、略三角形板状のガセット４の上辺部が溶接によって固定されており、この上辺部と直角な縦辺部が煙突１の外周面に溶接によって固定されている。
このようなガセット４はリング状部材３の周方向に所定間隔で複数設けられている。
【００２３】
また、一対のリング状部材３，３間には柱状部材５が掛け渡され、当該柱状部材５の上端部は上側のリング状部材３に溶接によって固定され、下端部は下側のリング状部材３に溶接によって固定されている。柱状部材５は上下に長尺な矩形板状の鋼板によって形成されており、リング状部材３の周方向に所定間隔で、かつその短辺をリング状部材３の径方向に向けて放射状に設けられている。また、柱状部材５と前記ガセット４とはリング状部材３の周方向において等しい位置に配置されている。このような複数の柱状部材５の煙突１の軸と直交する方向の断面積の総和は、煙突１の軸方向と直交する断面積と等しいか、当該断面積より大きくなっている。
また、柱状部材５は座屈部分２より煙突１の径方向外側に配置されており、この柱状部材５の煙突１側を向く長辺部と煙突１の外周面との間には所定の隙間が設けられ、この隙間に座屈部分２が配置されている。
【００２４】
柱状部材５と煙突１とは接続部材６によって接続されている。
すなわち、接続部材６は矩形板状の鋼板によって形成されており、本実施の形態では座屈部分２より上側に上下に所定間隔で２つ、下側に上下に所定間隔で３つ設けられている。接続部材６の一端部は煙突１の外周面に溶接によって固定され、他端部は柱状部材５の側面に溶接によって固定されている。
【００２５】
また、複数の柱状部材５の外周側には円筒状の外筒７が設けられている。この外筒７の内径は複数の柱状部材５の外側の側端面を結ぶ仮想円筒の外径とほぼ等しく、上下の高さは上下のリング状部材３，３間の距離とほぼ等しくなっている。このような外筒７はその内周面が柱状部材５に溶接よって固定され、上下端部がそれぞれ上下のリング状部材３，３に溶接によって固定されている。
【００２６】
また、外筒７は鋼材によって形成されており、当該外筒７を周方向に所定間隔で分割してなる複数の円筒分割片７ａを円筒状に溶接接合することによって、形成されているが、煙突１が小径の場合は、一体物で形成してもよい。
周方向に隣り合う円筒分割片７ａ，７ａを溶接接合する場合、柱状部材５の外側を向く側端面上において、隣り合う円筒分割片７ａ，７ａの側端部どうしを接合してもよいし、図２に破線で示すように、断面Ｌ形でかつ柱状部材５の長手方向に延在するアングル材１０の一片を柱状部材５の側面に溶接によって固定し、他片に一方の円筒分割片７ａの側端部を当接したうえで、当該一方の円筒分割片７ａの側端部に他方の円筒分割片７ａの側端部を溶接によって接合してもよい。
【００２７】
次に、上述したような筒状構造物の補修構造の施工方法、つまり、筒状構造物の補修方法について図３を参照して説明する。
図３（ａ）に示すように、煙突１の軸方向の所定の位置に、地震等の外力を受けることによって、座屈部分２が生じている。
この状態において、煙突１の座屈が生じていない健全部の外周面に、座屈部分２を軸方向に挟んで、一対のリング状部材３，３を溶接によって煙突１と同軸に固定する。この場合、当該リング状部材３を周方向に所定間隔で分割してなる複数の分割リング片をリング状に溶接接合するとともに、煙突１の外周面に溶接接合することによってリング状部材３を形成する。
【００２８】
次に、上側のリング状部材３の上面にガセット４の下辺部を溶接によって固定するとともに、この下辺部と直角な縦辺部を煙突１の外周面に溶接によって固定する。同様にして、下側のリング状部材３の下面に、ガセット４の上辺部を溶接によって固定するとともに、この上辺部と直角な縦辺部を煙突１の外周面に溶接によって固定する。ガセット４はリング状部材３の周方向に所定間隔で複数設ける。このようにして、リング状部材３を補強する。
【００２９】
次に、図３（ｂ）に示すように、上下のリング状部材３，３間に、柱状部材５を掛け渡し、その上端部を上側のリング状部材３に溶接よって固定し、下端部を下側のリング状部材３に溶接によって固定する。柱状部材５はリング状部材３の周方向に所定間隔で、かつその短辺をリング状部材３の径方向に向けて放射状に設けるとともに、座屈部分２より径方向外側に配置する。
【００３０】
次に、図３（ｃ）に示すように、柱状部材５と煙突１とを接続部材６によって接続する。この場合、接続部材６を座屈部分２より上側に上下に所定間隔で２つ、下側に上下に所定間隔で３つ配置したうえで、それぞれの接続部材６の一端部を煙突１の外周面に溶接によって固定し、他端部を柱状部材５の側面に溶接によって固定する。
【００３１】
最後に、図３（ｄ）に示すように、複数の柱状部材５の外周側に、円筒状の外筒７を設け、この外筒７の内周面を柱状部材５に溶接によって固定し、上下端部をそれぞれ上下のリング状部材３，３に溶接によって固定する。
この場合、外筒７を周方向に所定間隔で分割してなる複数の円筒分割片７ａを円筒状に溶接接合するとともに、当該円筒分割片７ａの内面を柱状部材５に溶接によって固定し、上下端部をそれぞれ上下のリング状部材３，３に溶接によって固定する。
【００３２】
以上のように本実施の形態によれば、一対のリング状部材３，３が座屈部分２を挟んで煙突１の外周面に固定され、当該一対のリング状部材３，３間に掛け渡された柱状部材５の両端部が一対のリング状部材３，３に固定されているので、座屈部分２を有していても、これらリング状部材３，３と柱状部材５とで煙突１の自重および地震による荷重に耐えることができる。
特に、複数の柱状部材５の煙突１の軸と直交する方向の断面積の総和が、煙突１の軸方向と直交する断面積と等しいか、当該断面積より大きくなっているので、リング状部材３，３と柱状部材５とで煙突１の自重および地震による荷重に確実に耐えることができる。
また、柱状部材５が座屈部分２より煙突１の径方向外側に配置されているので、座屈部分２に干渉することなく、柱状部材５を設けることができる。したがって、座屈部分２の凹凸の形状と配置に拘らず、リング状部材３と柱状部材５とで煙突１の自重および地震による荷重に耐えることができる。
【００３３】
さらに、接続部材６によって柱状部材５が煙突１に接続されているので、柱状部材５の座屈強度が向上し、これによって、リング状部材３と柱状部材５とで煙突１の自重および地震による荷重に確実に耐えることができる。
加えて、柱状部材５の外周側に設けられた外筒７が柱状部材５およびリング状部材３に固定されているので、リング状部材３と柱状部材５とで煙突１の自重および地震による荷重に、より確実に耐えることができるとともに、複数の柱状部材５が外筒７によって覆われるので、外観上も見映えがよくなる。
【００３４】
（第２の実施の形態）
図４および図５は、第２の実施の形態を示すもので、図４は筒状構造物の補修構造を示す断面図、図５は図４におけるＡ−Ａ線断面図である。
【００３５】
本実施の形態でも、本発明を円筒状の煙突１の補修に適用した場合について説明する。本実施の形態に係る筒状構造物の補修構造が、第１の実施の形態に係る筒状構造物の補修構造と異なる点は、柱状部材の構成であるので、以下ではこの点について説明し、第１の実施の形態と同一の構成については同一符号を付してその説明を省略ないし簡略化する。
【００３６】
本実施の形態では、一対のリング状部材３，３間に柱状部材１５が掛け渡され、当該柱状部材１５の上端部は上側のリング状部材３に溶接によって固定され、下端部は下側のリング状部材３に溶接によって固定されている。
柱状部材１５は上下に長尺な矩形板状の鋼板によって形成されており、リング状部材３の周方向に所定間隔で、かつその短辺をリング状部材３の径方向に向けて放射状に設けられている。また、柱状部材１５とガセット４とはリング状部材３の周方向において等しい位置に配置されている。このような複数の柱状部材１５の煙突１の軸と直交する方向の断面積の総和は、煙突１の軸方向と直交する断面積と等しいか、当該断面積より大きくなっている。
【００３７】
また、柱状部材１５の煙突１側を向く長辺部は煙突１の外周面に当接しており、当該長辺部の少なくとも一部が煙突１の外周面に溶接によって固定されている。この溶接長さは、第１の実施の形態における接続部材６を煙突１の外周面に溶接する場合の、複数の接続部材６の総溶接長さと等しいかそれ以上とされている。
また、柱状部材１５の煙突１側を向く長辺部には、凹所１５ａが設けられており、この凹所１５ａに煙突１の外周面から突出している座屈部分２が収められている。この凹所１５ａは、座屈部分２の位置や大きさに応じて、現場で柱状部材１５を矩形状に切り欠くことによって形成されている。
【００３８】
本実施の形態における筒状構造物の補修方法は、図示は省略するが、第１の実施の形態と同様に、煙突１の外周面に、座屈部分２を軸方向に挟んで、一対のリング状部材３，３を溶接によって固定した後、ガセット４を一対のリング状部材３，３および煙突１の外周面に溶接によって固定する。
次に、上下のリング状部材３，３間に、柱状部材１５を掛け渡し、その上端部を上側のリング状部材３に溶接よって固定し、下端部を下側のリング状部材３に溶接によって固定する。この際、座屈部分２の位置や大きさに応じて、現場で柱状部材１５の長辺部を矩形状に切り欠くことによって、柱状部材１５に凹所１５ａを形成するとともに、この凹所１５ａに座屈部分２を収める。また、柱状部材１５の長辺部を所定長さだけ煙突１の外周面に溶接する。
最後に、複数の柱状部材１５の外周側に、円筒状の外筒７を設け、この外筒７の内周面を柱状部材５に溶接によって固定し、上下端部をそれぞれ上下のリング状部材３，３に溶接によって固定する。
【００３９】
本実施の形態によれば、第１の実施の形態と同様に、一対のリング状部材３，３が座屈部分２を挟んで煙突１の外周面に固定され、当該一対のリング状部材３，３間に掛け渡された柱状部材１５の両端部が一対のリング状部材３，３に固定されているので、座屈部分２を有していても、これらリング状部材３，３と柱状部材１５とで煙突の自重および地震による荷重に耐えることができる。
また、柱状部材１５に凹所１５ａが設けられ、この凹所１５ａに煙突１の外周面から突出している座屈部分２が収められているので、座屈部分２に干渉することなく柱状部材１５を設けることができる。
また、現場で座屈部分２の位置や大きさに応じて柱状部材１５に凹所１５ａを設けるという手間がかかるが、第１の実施の形態のような複数の接続部材６の配置や、溶接の手間がないという利点がある。
【００４０】
なお、上述した２つの実施の形態では、本発明を円筒状の煙突１の補修に適用した場合を例にとって説明したが、本発明はこれに限ることなく、その他の筒状構造物の補修にも適用できる。また、筒状構造物としては、円筒状に限ることなく、角筒状、楕円筒状、長円筒状等あらゆる筒状構造物が挙げられる。
【符号の説明】
【００４１】
１  煙突（筒状構造物）
２  座屈部
３  リング状部材
４  ガセット
５，１５  柱状部材
１５ａ  凹所
６  接続部材
７  外筒
１０  アングル材
【図１】
0006771907.tif 000002
【図２】
0006771907.tif 000003
【図３】
0006771907.tif 000004
【図４】
0006771907.tif 000005
【図５】
0006771907.tif 000006